(57)【要約】【課題】  携帯電話において、キーボタン押圧時のクリック音を低減する。【解決手段】  方形状の板金５の外周部には樹脂からなる筐体１がインサート成形により形成されている。板金５の上面には樹脂膜６が上記インサート成形と同時に形成されている。板金５の上面には、上面に一対で１組の固定接点を複数組有するフィルム基板７が設けられている。一対で１組の固定接点上にはドーム状の板バネからなる可動接点８が設けられている。ここで、樹脂膜６は、キーボタン４が押圧されて、可動接点８が下側に向かって弾性変形したとき、可動接点８が板金５に当接する衝撃を緩和するためのものである。これにより、キーボタン押圧時のクリック音を低減することができる。【選択図】図２
2012129142.tif 000002
【特許請求の範囲】
【請求項１】
板金の外周部に樹脂からなる筐体がインサート成形により形成され、前記板金上に、上面に一対で１組の固定接点を複数組有するフィルム基板が設けられ、前記一対で１組の固定接点上にドーム状の板バネからなる可動接点が設けられ、前記可動接点上にキーボタンが設けられた電子機器において、前記板金の上面に樹脂膜が設けられていることを特徴とする電子機器。
【請求項２】
前記樹脂膜は、前記板金の外周部に前記筐体をインサート成形により形成するとき、前記板金の上面に同時に形成されたものからなることを特徴とする請求項１に記載の電子機器。
【請求項３】
前記樹脂膜の厚さは前記フィルム基板の厚さよりも厚くなっていることを特徴とする請求項１または２に記載の電子機器。
【請求項４】
前記可動接点と前記キーボタンとの間に、下面において前記可動接点に対応する部分に突起を有する樹脂シートが設けられていることを特徴とする請求項１〜３のいずれかに記載の電子機器。
【発明の詳細な説明】
【技術分野】
【０００１】
この発明は携帯電話等の電子機器に関する。
【背景技術】
【０００２】
例えば、携帯電話には、一面に表示パネルを備えた表示部筐体と一面に複数のキーボタンを備えた操作部筐体とがヒンジを介して折り畳み可能に連結され、折り畳まれた状態で表示部筐体の表示パネル側の面と操作部筐体のキーボタン側の面とが互いに対向するようにしたものがある。
【０００３】
従来のこの種の携帯電話の操作部筐体においては、上面に一対で１組の固定接点が複数組設けられたフィルム基板上に複数のキーボタンが設けられ、１つのキーボタンが押圧されると、当該キーボタン下に設けられたドーム状の板バネからなる可動接点が下側に向かって弾性変形してその下に設けられた一対で１組の固定接点に共に接触し、これにより当該キーボタンに対応するスイッチがオン状態となるようにしたものがある（例えば、特許文献１参照）
【先行技術文献】
【特許文献】
【０００４】
【特許文献１】実用新案登録第３１３７８７０号公報
【発明の概要】
【発明が解決しようとする課題】
【０００５】
ところで、上記のような携帯電話には、操作部筐体を樹脂によって方形枠状に形成し、且つ、操作部筐体の内側に板金をインサート成形により一体化したものがある。このような携帯電話において、板金上にフィルム基板を介してドーム状の板バネからなる可動接点を配置した場合、キーボタンが押圧されると、可動接点がフィルム基板を介して板金に比較的強く当接して比較的大きな金属音（クリック音）が発生することがあり、人によっては耳障りとなることがあるという問題がある。
【０００６】
そこで、この発明は、キーボタン押圧時のクリック音を低減することができる電子機器を提供することを目的とする。
【課題を解決するための手段】
【０００７】
この発明に係る電子機器は、板金の外周部に樹脂からなる筐体がインサート成形により形成され、前記板金上に、上面に一対で１組の固定接点を複数組有するフィルム基板が設けられ、前記一対で１組の固定接点上にドーム状の板バネからなる可動接点が設けられ、前記可動接点上にキーボタンが設けられた電子機器において、前記板金の上面に樹脂膜が設けられていることを特徴とするものである。
【発明の効果】
【０００８】
この発明によれば、キーボタンが押圧されて、可動接点が下側に向かって弾性変形したとき、可動接点が板金に当接する衝撃を樹脂膜によって緩和することができ、これによりキーボタン押圧時のクリック音を低減することができる。
【図面の簡単な説明】
【０００９】
【図１】この発明の一実施形態としての携帯電話の操作部筐体の部分の斜視図。
【図２】図１のII−IIに線に沿う部分の一部の断面図。
【図３】図１に示すものにおいて板金の上面に設けられた樹脂膜を露出させた状態の斜視図。
【図４】図３に示すものにおいて板金の上面に設けられた樹脂膜を省略した状態の斜視図。
【発明を実施するための形態】
【００１０】
図１はこの発明の一実施形態としての携帯電話の操作部筐体の部分の斜視図を示す。この携帯電話では、操作部筐体１のヒンジ部２に表示部筐体（図示せず）が回動可能に取り付けられるようになっている。表示部筐体についての説明は省略する。操作部筐体１の上面側にはコマンドナビゲーションキーボタン３およびダイヤルキーボタンを含む各種のキーボタン４が設けられている。
【００１１】
図２は図１のII−IIに線に沿う部分の一部の断面図を示す。操作部筐体１はＡＢＳ樹脂等によって方形枠状に形成されている。操作部筐体１の内側にはステンレス等からなる方形状の板金５の外周部がインサート成形により埋め込まれ、且つ、板金５の上面には樹脂膜６が同インサート成形により形成されている。すなわち、ＡＢＳ樹脂等を用いたインサート成形により、方形状の板金５の外周部に方形枠状の操作部筐体１が形成され、且つ、板金５の上面に樹脂膜６が形成される。この場合、樹脂膜６の外周部は操作部筐体１と連結されている。また、この状態では、板金５の外周部を除く下面は露出されている。ここで、図３に図１にものにおいて板金５の上面に設けられた樹脂膜６を露出させた状態の斜視図を示す。また、図４に図３に示すものにおいて板金５の上面に設けられた樹脂膜６を省略した状態の斜視図を示す。
【００１２】
図２に戻って説明を続けると、樹脂膜６の上面にはポリイミド等からなるフィルム基板７が粘着剤（図示せず）を介して貼り付けられている。フィルム基板７の上面においてキーボタン４等に対応する部分には一対で１組の固定接点（図示せず）が複数組設けられている。フィルム基板７の一対で１組の固定接点上にはステンレス等からなるドーム状の板バネからなる可動接点８が設けられている。可動接点８およびフィルム基板７の上面には粘着シート９が貼り付けられている。これにより、可動接点８は固定されている。
【００１３】
キーボタン４は、ウレタンゴム等からなる支持シート１０の上面に、熱溶着あるいは両面接着テープを用いることにより、固着されている。支持シート１０の下面には樹脂シート１１が貼り付けられている。樹脂シート１１は、その下面において可動接点８に対応する部分に逆ドーム状の突起１１ａを有する構造となっている。樹脂シート１１の外周部下面は操作部筐体１の上面に両面接着テープ１２を介して貼り付けられている。この状態では、樹脂シート１１の突起１１ａは可動接点８の上面に設けられた粘着シート９の上面にただ単に当接されている。
【００１４】
この携帯電話では、例えば１つのキーボタン４が押圧されると、その下の支持シート１０およびその下の突起１１ａを含む樹脂シート１１の部分のみが弾性変形して下降し、この下降する突起１１ａによってその下の可動接点８がその上面に設けられた粘着シート９と共に押し下げられて弾性変形し、この押し下げられて弾性変形した可動接点８がその下の一対で１組の固定接点に共に接触し、当該キーボタン４に対応するスイッチがオン状態となる。当該キーボタン４に対する押圧が解除されると、可動接点８が自己復帰して初期位置に戻り、これに伴い突起１１ａを含む樹脂シート１１、支持シート１０および当該キーボタン４が初期位置に戻り、当該キーボタン４に対応するスイッチがオフ状態となる。
【００１５】
ところで、板金５の上面に樹脂膜６が形成されていない場合、フィルム基板７が板金５の上面に配置されることになる。この場合、フィルム基板７の厚さが極めて薄い（例えば、０.１ｍｍ程度）ので、可動接点８の下降時の衝撃をフィルム基板７で十分に吸収することができず、その結果可動接点８がフィルム基板７を介して板金５に比較的強く当接して、周波数の比較的高い金属音が発生することがある。特に、メール作成時等のようにキーボタン操作の頻度が多い場合には、キーボタンを比較的強く押圧しやすく、キーボタン操作時に発生する周波数の比較的高い金属音が耳触りとなってしまうことがある。
【００１６】
これに対し、上記構成の携帯電話では、板金５の上面にフィルム基板７よりも厚め（例えば、０．３〜０．５ｍｍ）の樹脂膜６を設けているので、可動接点８が下側に向かって弾性変形したとき、可動接点８の板金５に当接する衝撃が樹脂膜６によって緩和され、周波数の比較的低い音が発生し、人の耳には聞こえにくくなり、したがってクリック音を低減することができる。また、板金５の外周部を樹脂からなる操作部筐体１で覆うためのインサート成形時に、同時に、板金５の上面に樹脂膜６を形成することができるので、工程数および部品点数が増加しないようにすることができる。
【００１７】
なお、可動接点８は、バネ性を有する金属板の複数個所にドーム状に形成されたものであってもよい。この場合、粘着シート９を省略し、バネ性を有する金属板をフィルム基板７の上面に貼り付けるようにしてもよい。また、この発明は、携帯電話に限らず、ＰＨＳ（Personal Handyphone System）、ＰＤＡ（Personal Data
Assistance, Personal Digital Assistance:個人向け携帯型情報通信機器）等の携帯端末機器等の電子機器にも適用することができる。
【００１８】
以下、この発明の諸態様を付記としてまとめて記載する。
【００１９】
（付記１）
付記１の発明は、板金の外周部に樹脂からなる筐体がインサート成形により形成され、前記板金上に、上面に一対で１組の固定接点を複数組有するフィルム基板が設けられ、前記一対で１組の固定接点上にドーム状の板バネからなる可動接点が設けられ、前記可動接点上にキーボタンが設けられた電子機器において、前記板金の上面に樹脂膜が設けられていることを特徴とする電子機器である。
【００２０】
（付記２）
付記２の発明は、前記樹脂膜は、前記板金の外周部に前記筐体をインサート成形により形成するとき、前記板金の上面に同時に形成されたものからなることを特徴とする付記１に記載の電子機器である。
【００２１】
（付記３）
付記３の発明は、前記樹脂膜の厚さは前記フィルム基板の厚さよりも厚くなっていることを特徴とする付記１または２に記載の電子機器である。
【００２２】
（付記４）
付記４の発明は、前記可動接点と前記キーボタンとの間に、下面において前記可動接点に対応する部分に突起を有する樹脂シートが設けられていることを特徴とする付記１〜３のいずれかに記載の電子機器である。
【符号の説明】
【００２３】
１  操作部筐体
２  ヒンジ部
３  コマンドナビゲーションキーボタン
４  キーボタン
５  板金
６  樹脂膜
７  フィルム基板
８  可動接点
９  粘着シート
１０  樹脂シート
１０ａ  突起
１１  支持シート
１２  両面接着テープ
【図１】
2012129142.tif 000003
【図２】
2012129142.tif 000004
【図３】
2012129142.tif 000005
【図４】
2012129142.tif 000006